(57)【要約】【課題】視差を生じさせる左眼用映像及び右眼用映像を表示することにより映像を立体視可能に表示する３次元映像表示装置において、複数のユーザが同時に表示映像を見るとき、ユーザ毎に、２次元映像と３次元映像のいずれかを選択し観賞することができるようにする。【解決手段】３次元映像表示装置１は、右眼用映像ＶＲを表示する受像機２と、受像機２とは別体に設けられ、左眼用映像ＶＬを表示するＨＭＤ４とを備える。これにより、ユーザＵは、ＨＭＤ４を装着すれば、３次元映像を観賞することができ、ＨＭＤ４を装着しなければ、受像機２に表示される２次元映像を観賞することができる。従って、複数のユーザが同時に表示映像を見るとき、ユーザ毎に、ＨＭＤ４を装着するか否かを選ぶことにより、２次元映像と３次元映像のいずれかを選択し観賞することができる。【選択図】図１
2012003123.tif 000002
【特許請求の範囲】
【請求項１】
視差を生じさせる左眼用映像及び右眼用映像を表示することにより映像を立体視可能に表示する３次元映像表示装置において、
前記左眼用映像と前記右眼用映像のいずれか一方を表示するディスプレイ本体と、
前記ディスプレイ本体とは別体に設けられ、ユーザの頭部に装着され、前記左眼用映像と前記右眼用映像のいずれか他方を表示するヘッドマウントディスプレイ（以下、ＨＭＤという）と、を備えたことを特徴とする３次元映像表示装置。
【請求項２】
前記ディスプレイ本体と前記ＨＭＤとの相対的な位置関係を計測する位置計測手段と、
前記位置計測手段による計測結果に応じて、前記ＨＭＤの表示映像を最適化する映像最適化手段と、をさらに備えることを特徴とする請求項１に記載の３次元映像表示装置。
【請求項３】
前記位置計測手段は、前記ディスプレイ本体から見て該ディスプレイ本体正面と前記ＨＭＤとが成す上下角度又は左右角度を計測し、
前記映像最適化手段は、前記位置計測手段により計測される前記上下角度又は前記左右角度に応じて、前記ＨＭＤの表示映像のキーストーンを補正するキーストーン補正手段を有することを特徴とする請求項２に記載の３次元映像表示装置。
【請求項４】
前記位置計測手段は、前記ディスプレイ本体から前記ＨＭＤまでの距離を計測し、
前記映像最適化手段は、前記位置計測手段により計測される前記距離に応じて、前記ＨＭＤの表示映像の表示サイズを補正するサイズ補正手段を有することを特徴とする請求項２又は請求項３に記載の３次元映像表示装置。
【請求項５】
前記位置計測手段は、前記ディスプレイ本体から前記ＨＭＤまでの距離を計測し、
前記映像最適化手段は、前記位置計測手段により計測される前記距離に応じて、前記ＨＭＤの表示映像の輝度を補正する輝度補正手段を有することを特徴とする請求項２乃至請求項４のいずれか一項に記載の３次元映像表示装置。
【発明の詳細な説明】
【技術分野】
【０００１】
本発明は、映像を立体視可能に表示する３次元映像表示装置に関する。
【背景技術】
【０００２】
従来から、この種の３次元映像表示装置（以下、映像表示装置という）において、視点に応じた立体映像が見えるようにした映像表示装置が知られている（例えば、特許文献１参照）。この映像表示装置は、映像を表示するディスプレイと、液晶メガネとを備える。上記ディスプレイは、互いに同じ方向を向いた３台以上のビデオカメラの出力映像を一定順序で選択し、高速に切り換えて表示する。上記液晶メガネは、右眼及び左眼にそれぞれ対応する液晶を有しており、各液晶は、ディスプレイの上記選択タイミングに同期して透過状態と遮蔽状態とを切り換える。各液晶は、上記出力映像の中から、ユーザの位置に応じた左眼用映像、右眼用映像が選択されると、液晶の状態を切り換えて、左眼、右眼が、それぞれ、選択された左眼用映像、右眼用映像だけを見ることができるようにする。これにより、ユーザの位置毎に適切な立体映像を見ることができる。
【０００３】
上記映像表示装置においては、複数のユーザが同時に表示映像を見る際、ユーザ全員が３次元映像を見ることになるが、３次元映像を長時間見ることは人体に負担を掛けることが人間工学の見地から明らかにされており、負担の程度には個人差が在る。
【０００４】
そこで、複数のユーザが同時に表示映像を見る際、ユーザ毎に２次元映像と３次元映像とを選択可能とし、その選択した映像を各ユーザが観賞できるようにしたいとの要望がある。
【０００５】
しかしながら、上記映像表示装置においては、各ビデオカメラの出力映像が高速に切り換えられて表示されているので、液晶メガネを外してディスプレイを見ても、ディスプレイの表示映像はぶれているように見え、２次元映像を観賞することは難しい。そのため、上記要望には応えられない。
【０００６】
そこで、上記映像表示装置の液晶メガネの動作設定に、２次元映像観賞用の設定を追加し、この設定と、上述の３次元映像観賞用の設定とを切り換え可能にした映像表示装置が知られている（例えば、特許文献２参照）。この映像表示装置の液晶メガネでは、２次元映像観賞用の設定時には、ディスプレイの表示映像として左眼用映像と右眼用映像のいずれが選択されたとしても、液晶メガネの両眼の液晶を透過状態にする。従って、２次元の左眼用映像及び右眼用映像を見ることができる。しかしながら、左眼用映像及び右眼用映像は視差を生じさせるものであり、それらが例えば交互に表示されると、表示映像はぶれて見え、見辛くなる。そのため、この映像表示装置において、上記要望を満足することは難しい。
【０００７】
ところで、上記２種とは別の構成を持つ映像表示装置として、液晶メガネを着用しなくても、表示映像が立体的に見えるようにした映像表示装置が知られている（例えば、特許文献３参照）。しかしながら、この映像表示装置においても、上記要望を満たすことは困難である。
【先行技術文献】
【特許文献】
【０００８】
【特許文献１】特開平１１−３４１５１８号公報
【特許文献２】特開２００２−１０３００号公報
【特許文献３】特開２０００−２６１８３２号公報
【発明の概要】
【発明が解決しようとする課題】
【０００９】
本発明は、上記の従来の問題を解決するためになされたものであり、複数のユーザが同時に表示映像を見るときに、ユーザ毎に２次元映像と３次元映像とを選択し観賞することができる３次元映像表示装置を提供することを目的とする。
【課題を解決するための手段】
【００１０】
上記目的を達成するために本発明は、視差を生じさせる左眼用映像及び右眼用映像を表示することにより映像を立体視可能に表示する３次元映像表示装置において、前記左眼用映像と前記右眼用映像のいずれか一方を表示するディスプレイ本体と、前記ディスプレイ本体とは別体に設けられ、ユーザの頭部に装着され、前記左眼用映像と前記右眼用映像のいずれか他方を表示するヘッドマウントディスプレイ（以下、ＨＭＤという）と、を備えたことを特徴とする。
【００１１】
上記発明において、前記ディスプレイ本体と前記ＨＭＤとの相対的な位置関係を計測する位置計測手段と、前記位置計測手段による計測結果に応じて、前記ＨＭＤの表示映像を最適化する映像最適化手段と、をさらに備えることが好ましい。
【００１２】
また、上記発明において、前記位置計測手段は、前記ディスプレイ本体から見て該ディスプレイ本体正面と前記ＨＭＤとが成す上下角度又は左右角度を計測し、前記映像最適化手段は、前記位置計測手段により計測される前記上下角度又は前記左右角度に応じて、前記ＨＭＤの表示映像のキーストーンを補正するキーストーン補正手段を有することが好ましい。
【００１３】
また、上記発明において、前記位置計測手段は、前記ディスプレイ本体から前記ＨＭＤまでの距離を計測し、前記映像最適化手段は、前記位置計測手段により計測される前記距離に応じて、前記ＨＭＤの表示映像の表示サイズを補正するサイズ補正手段を有することが好ましい。
【００１４】
また、上記発明において、前記位置計測手段は、前記ディスプレイ本体から前記ＨＭＤまでの距離を計測し、前記映像最適化手段は、前記位置計測手段により計測される前記距離に応じて、前記ＨＭＤの表示映像の輝度を補正する輝度補正手段を有することが好ましい。
【発明の効果】
【００１５】
本発明によれば、ユーザが、ヘッドマウントディスプレイを装着すれば、３次元映像を観賞することができ、ヘッドマウントディスプレイを装着しなければ、ディスプレイ本体に表示される２次元映像を観賞することができる。従って、複数のユーザが同時に表示映像を見るとき、ユーザ毎に、ヘッドマウントディスプレイを装着するか否かを選ぶことにより、２次元映像と３次元映像のいずれかを選択し観賞することができる。
【図面の簡単な説明】
【００１６】
【図１】（ａ）は本発明の一実施形態に係る３次元映像表示装置の構成を示す斜視図、（ｂ）は上記装置の使用例の平面図、（ｃ）は上記装置のヘッドマウントディスプレイの使用時の正面図。
【図２】上記装置のテレビジョン受像機及びヘッドマウントディスプレイの表示映像を示す正面図。
【図３】上記装置の電気的ブロック図。
【図４】上記装置のテレビジョン受像機とヘッドマウントディスプレイとの位置関係を計測する処理について説明するための斜視図。
【図５】（ａ）上記とは別の使用例を示す平面図、（ｂ）はその使用例において最適化されたヘッドマウントディスプレイの表示映像の正面図。
【発明を実施するための形態】
【００１７】
以下、本発明の一実施形態に係る３次元映像表示装置（以下、映像表示装置という）について図面を参照して説明する。この映像表示装置は、視差を生じさせる左眼用映像及び右眼用映像を表示し、これにより、映像を立体視可能に表示するものである。左眼用映像及び右眼用映像はそれぞれ、２次元映像である。
【００１８】
図１（ａ）〜（ｃ）は、本実施形態の映像表装置の構成を示す。本実施形態の映像表示装置１は、上記右眼用映像ＶＲを表示するテレビジョン受像機（以下、受像機という）２（ディスプレイ本体）と、受像機２とは別体に設けられ、上記左眼用映像ＶＬを表示するヘッドマウントディスプレイ（以下、ＨＭＤという）４とを備える。ＨＭＤ４は、ユーザＵの頭部に装着される。ＨＭＤ４は、図示された１個に限定されず、複数個有ってもよい。
【００１９】
受像機２は、左眼用映像信号と右眼用映像信号とを含むデジタルテレビジョン放送信号（以下、放送信号という）を受信し、その受信した放送信号から左眼用映像信号と右眼用映像信号とを分離する。受像機２は、その分離された右眼用映像信号を再生することにより右眼用映像ＶＲを表示し、また、上記の分離された左眼用映像信号を無線又は有線でＨＭＤ４に送信する。
【００２０】
ＨＭＤ４は、ユーザＵの頭部にＨＭＤ４を装着するための装着帯４１と、装着帯４１に支持されるディスプレイ４２とを有する。装着帯４１は、両端が対向するよう略Ｃ字状に湾曲形成された帯部材により構成され、その帯部材は弾力性を有している。装着帯４１は、使用の際、一方の側頭部から後頭部を回って他方の側頭部に沿うように装着され、弾性力により左右の側頭部を挟み込む。ディスプレイ４２は、装着帯４１の一端に支持されており、頭部に装着された状態において、映像表示面が左眼前方に配置される。ディスプレイ４２は、受像機２から送信された左眼用映像信号を再生することにより左眼用映像ＶＬを表示する。装着帯４１の構成及びディスプレイ４２の支持構造は上記に限定されない。
【００２１】
ディスプレイ４２は、頭部に装着された状態で外側になる面に、離間する２個の赤外発光素子（以下、発光素子という）４３を有する。受像機２は、それら発光素子４３を撮影する赤外線イメージセンサ（以下、イメージセンサという）２０を受像機２の前面に有し、そのイメージセンサ２０により撮影された画像上の発光素子４３の座標等から、ＨＭＤ４の物理的な位置を計測する。そして、受像機２は、その計測結果に応じてＨＭＤ４の表示映像を最適化する。発光素子４３は、上記に限定されず、複数であればよい。
【００２２】
図２は、受像機２とＨＭＤ４とにそれぞれ表示される右眼用映像ＶＲと左眼用映像ＶＬとを示す。右眼用映像ＶＲと左眼用映像ＶＬは、例えば、２台の撮像装置を用いて、撮像対象を、右眼と左眼の視角にそれぞれ対応する角度から撮影することにより得た映像である。それらの映像を、それぞれ、右眼と左眼とで見ることにより、脳が映像空間の奥行きと飛び出しとを認識することができ、立体感を感じられる。
【００２３】
図３は、映像表示装置１の電気的構成を示す。受像機２は、チューナ２１と、復調回路２２と、デマルチプレクサ２３と、映像デコーダ２４と、映像分離回路２５と、ディスプレイ駆動回路２６と、ディスプレイ２７と、音声デコーダ２８と、スピーカ駆動回路２９と、スピーカ３０と、位置計測回路３１と、映像最適化回路３２と、送信回路３３と、制御回路３４とを備える。
【００２４】
チューナ２１は、アンテナ５を介して放送信号を受信し、受信周波数を、ユーザが選局する物理チャンネルに対応した周波数に同調させることにより、そのチャンネルの放送信号を選局する。不図示であるが、ユーザが選局するための手段としての選局キーが、受像機２、又は受像機２を遠隔制御するリモートコントローラ（図示せず）に設けられている。
【００２５】
復調回路２２は、チューナ２１により選局されたチャンネルの放送信号を復調する。デマルチプレクサ２３は、復調回路２２により復調された放送信号から映像信号及び音声信号を分離する。
【００２６】
デマルチプレクサ２３は、復調回路２２により復調された放送信号に対して誤り訂正処理を行い、その訂正処理を行った放送信号から映像信号及び音声信号のＴＳパケットをそれぞれ抽出する。
【００２７】
映像デコーダ２４は、デマルチプレクサ２３により抽出された映像信号のＴＳパケットをデコードする。映像分離回路２５は、映像デコーダ２４によりデコードされた映像信号から右眼用映像信号と左眼用映像信号とを分離する。ディスプレイ駆動回路２６は、映像分離回路２５により分離された右眼用映像信号を再生して右眼用映像を表示するようにディスプレイ２７を駆動する。
【００２８】
音声デコーダ２８は、デマルチプレクサ２３により抽出された音声信号のＴＳパケットをデコードする。スピーカ駆動回路２９は、音声デコーダ２８によりデコードされた音声信号を再生して音声を出力するようにスピーカ３０を駆動する。
【００２９】
位置計測回路３１（位置計測手段）は、受像機１とＨＭＤ４との相対的な位置関係を自動計測する回路であり、この回路は、上述のイメージセンサ２０と、画像分析回路３１ａと、距離計測回路３１ｂと、角度計測回路３１ｃとを有する。イメージセンサ２０は、センサ前方の空間、すなわち、受像機２前方の空間を周期的に撮影する。画像分析回路３１ａは、イメージセンサ２０による撮影画像を分析する。
【００３０】
ところで、上記の位置関係を示す物理値には、ディスプレイ２７の表示画面の中心部（以下、画面中心部という）からＨＭＤ４までの距離と、上記中心部から見て中心部正面とＨＭＤ４とが成す上下角度及び左右角度（以下、角度と総称する）とが含まれ、これらの距離と角度とは画面中心部を基準としている。これらの距離及び角度は、上記画面中心部とイメージセンサ２０との位置関係と、図４に示す、イメージセンサ２０からＨＭＤ４の所定部分までの距離Ｌ、イメージセンサ２０から見てセンサ正面とＨＭＤ４の上記部分とが成す上下角度θ及び左右角度φの測定結果とから計測することができる。距離Ｌ、上下角度θ及び左右角度φは、イメージセンサ２０による撮影画像上の２個の発光素子４３（上記図１参照）の間隔及び座標から求められる。
【００３１】
そこで、画像分析回路３１ａは、イメージセンサ２０による撮影画像上の発光素子４３の間隔及び各発光素子４３の座標を算出し、その算出結果を基に、上記の距離Ｌ、上下角度θ及び左右角度φを測定する。これらの測定により、画像分析回路３１ａは、ディスプレイ２７の画面中心部とＨＭＤ４との距離と、画面中心部を基準としたＨＭＤ４の角度を計測する。ただし、画像上の発光素子４３の間隔は、イメージセンサ２０に対するＨＭＤ４の向きによっても変化し、その向きは、イメージセンサ２０による撮影画像上で、発光素子４３間を結ぶ直線の傾きとして表れる。そこで、画像分析回路３１ａは、上記の傾きをさらに算出する。
【００３２】
距離計測回路３１ｂと角度計測回路３１ｃとはそれぞれ、画像分析回路３１ａにより算出された上記間隔、座標及び傾きから、ディスプレイ２７の画面中心部からＨＭＤ４までの距離と、画面中心部を基準としたＨＭＤ４の角度とを計測する。位置計測回路３１におけるＨＭＤ４の位置計測技法は、上記に限定されず、他の技法であってもよい。
【００３３】
映像最適化回路３２（映像最適化手段）は、位置計測回路３１による計測結果に応じて、ＨＭＤ４の表示映像（左眼用映像）に各種補正を施し、これにより、その表示映像を自動的に最適化する。映像最適化回路３２は、各種補正内容に対応した信号処理を、映像分離回路２５により分離された左眼用映像信号に施す。
【００３４】
上記の各種補正内容には、キーストーン補正、表示サイズ補正、及び輝度補正が含まれており、映像最適化回路３２は、キーストーン補正回路３２ａ、サイズ補正回路３２ｂ、及び輝度補正回路３２ｃを有する。
【００３５】
ところで、受像機２の矩形の表示画面を、受像機２に正対して受像機２の右側、左側、上側、下側のいずれかから見ると、上記表示画面は歪んでキーストーン、すなわち、台形に見える。この歪み具合は、視角（ユーザが受像機２の表示画面を見る方向と表示画面の正面方向とが成す角度）が大きくなるにつれて増大する。さらに、上記の上側又は下側から上記表示画面を見ると、表示画面は高さ方向に縮小して見え、また、上記の右側又は左側から表示画面を見ると、表示画面は幅方向に縮小して視認される。従って、ＨＭＤ４の表示画面の形状及び表示サイズが一定であれば、視角が大きくなるほど、ユーザに見える右眼用映像（受像機２の表示画面上の映像）及び左眼用映像（ＨＭＤ４の表示画面上の映像）の形状及び表示サイズが大きく相違する。このため、それらの右眼用映像及び左眼用映像を見ても、立体映像として認識し難くなる。
【００３６】
そこで、キーストーン補正回路３２ａ（キーストーン補正手段）は、角度計測回路３１ｃにより計測される上記角度に応じた歪み具合で、ＨＭＤ４の表示映像をキーストーン（台形）に歪ませて補正し、かつ、上記角度に応じた拡大率／縮小率で表示映像の高さ又は幅を拡大／縮小する。キーストーン補正回路３２ａは、上記角度が大きくなるに連れて上記の歪み具合及び拡大率／縮小率を増す。これにより、キーストーン補正回路３２ａは、ＨＭＤ４に表示させる映像を受像機２に表示したとして、ＨＭＤ４未装着状態でユーザの左眼からその表示映像と同じ形状に視認されるようにＨＭＤ４の表示映像をキーストーン補正する。
【００３７】
ユーザから見える受像機２の表示映像は、ユーザと受像機２との距離が遠くなるほど、小さく見える。そこで、サイズ補正回路３２ｂ（サイズ補正手段）は、角度計測回路３１ｃにより計測された距離に応じて、ＨＭＤ４の表示映像の表示サイズを補正する。サイズ補正回路３２ｂは、上記距離が遠くなるほど、上記表示サイズを小さくする。これにより、サイズ補正回路３２ｂは、ＨＭＤ４に表示させる映像を受像機２に表示したとして、ＨＭＤ４未装着状態でユーザの左眼からその表示映像と同じ表示サイズに視認されるようにＨＭＤ４の表示映像をサイズ補正する。
【００３８】
ユーザから見える受像機２の表示映像は、ユーザが受像機２から離れるほど、眼への入射光量が落ちるので、暗く見える。そこで、輝度補正回路３２ｃ（輝度補正手段）は、角度計測回路３１ｃにより計測された距離に応じて、ＨＭＤ４の表示映像の輝度を補正する。輝度補正回路３２ｃは、上記距離が遠くなるほど、上記輝度を連続的に又は段階的に低下させる。これにより、輝度補正回路３２ｃは、ＨＭＤ４に表示させる映像を受像機２に表示したとして、ＨＭＤ４未装着状態でユーザの左眼からその表示映像と同じ輝度に視認されるようにＨＭＤ４の表示映像を輝度補正する。
【００３９】
キーストーン補正回路３２ａ、サイズ補正回路３２ｂ、及び輝度補正回路３２ｃはそれぞれ、ユーザの右眼から見える受像機２の表示映像と同じ形状、表示サイズ、及び輝度に視認されるようＨＭＤ４の表示映像を補正してもよい。
【００４０】
送信回路３３は、映像最適化回路３２により各種補正内容に対応した処理が施された左眼用映像信号をＨＭＤ４に送信する。送信回路３３とＨＭＤ４との通信方式は無線であっても有線であってもよい。制御回路３４は、受像機２内の各種回路等を制御するＣＰＵ等により構成される。制御回路３４は、例えば、ユーザが上記選局キーの操作により選局したチャンネルを選局するようにチューナ２１を制御する。
【００４１】
ＨＭＤ４は、上述の発光素子４３と、受信回路４４と、ディスプレイ駆動回路４５と、ディスプレイ４６と、制御回路４７とを有する。ＨＭＤ４は、電池駆動であっても、受像機２からＨＭＤ４に導出される電源線から給電されてもよい。発光素子４３は、常時点灯が望ましい。
【００４２】
受信回路４４は、送信回路３３から送信される左眼用映像信号を受信する。ディスプレイ駆動回路４５は、受信回路４４により受信された左眼用映像信号を再生して左目用映像を表示するようにディスプレイ４６を駆動する。制御回路４７は、ＨＭＤ４内の各種回路等を制御するＣＰＵ等により構成される。
【００４３】
図５（ａ）（ｂ）は、映像表示装置１の使用例と、その使用例においてキーストーン補正が施されたＨＭＤ４の表示映像とを示す。同図においては、ユーザＵの位置は、受像機２に向かって左側とし、また、ユーザＵの目線は、受像機２の表示画面の高さと略同じとする。この状態において、ＨＭＤ４未装着であれば、ユーザＵの左眼から見える受像機２の表示映像は、高さ方向に歪み、右に９０度回転した台形形状になり、また、ユーザＵの位置が受像機２の正面である場合と比べ、幅方向に縮小する。従って、ＨＭＤ４に表示される左眼用映像は、上記と同じ歪み具合でキーストーン補正され、同じ縮小率で幅方向に縮められる。
【００４４】
本実施形態の映像表示装置１においては、ユーザＵは、ＨＭＤ４を装着すれば、３次元映像を観賞することができ、ＨＭＤ４を装着しなければ、受像機２に表示される２次元映像を観賞することができる。従って、複数のユーザが同時に表示映像を見るとき、ユーザ毎に、ＨＭＤ４を装着するか否かを選択することにより、２次元映像と３次元映像のいずれを鑑賞するかを選択することができ、その選択した映像を鑑賞することができる。
【００４５】
ところで、ユーザの位置が変わると、ユーザの右眼に認識される受像機２の表示映像（以下、右眼認識映像という）の形状、表示サイズ及び輝度等（以下、形状等という）が変化するが、ＨＭＤ４の表示映像の形状等がユーザの位置に係わらず同じである場合、右眼認識映像の形状等と、左眼に認識されるＨＭＤ４の表示映像（以下、左眼認識映像という）の形状等とに相違が生じ、受像機２の映像とＨＭＤ４の映像とをそれぞれ右眼と左眼で見ても立体感を感じられないことがあり得る。
【００４６】
しかしながら、本実施形態においては、映像最適化回路３２により、受像機２とＨＭＤ４との位置関係に基づいてＨＭＤ４の表示映像が最適化されるので、ユーザの位置に関係なく、左眼認識映像の形状等を右眼認識映像のそれと略同じにすることができ、右眼認識映像と左眼認識映像とから立体映像を得ることができる。
【００４７】
また、受像機２を見る位置に応じて、右眼認識映像は形状が台形に歪み、表示サイズが拡大／縮小し、輝度が増減するが、上記の映像最適化処理において、それら各種の変化に対応してＨＭＤ４の表示映像のキーストーン、表示サイズ及び輝度が補正され、右眼認識映像のそれと略同じにされる。従って、ユーザの位置によらず、立体映像を確実に得ることができる。
【００４８】
なお、本発明は、上記の実施形態の構成に限定されるものでなく、使用目的に応じ、様々な変形が可能である。例えば、受像機２のディスプレイ２７が左眼用映像を表示し、ＨＭＤ４のディスプレイ４２が右眼用映像を表示してもよい。
【符号の説明】
【００４９】
１  ３次元映像表示装置
２  受像機（ディスプレイ本体）
３１  位置計測回路（位置計測手段）
３２  映像最適化回路（映像最適化手段）
３２ａ  キーストーン補正回路（キーストーン補正手段）
３２ｂ  サイズ補正回路（サイズ補正手段）
３２ｃ  輝度補正回路（輝度補正手段）
４  ヘッドマウントディスプレイ
Ｕ  ユーザ
【図１】
2012003123.tif 000003
【図２】
2012003123.tif 000004
【図３】
2012003123.tif 000005
【図４】
2012003123.tif 000006
【図５】
2012003123.tif 000007